(57)【特許請求の範囲】
【請求項１】
ディジタルコンテンツの管理を提供する方法であって、
コンピュータシステムにより、ユーザ生成コンテンツを受け取るステップと、
前記コンピュータシステムにより、前記コンピュータシステムの記憶装置に記憶されたリファレンスコンテンツを示す情報を参照して、前記ユーザ生成コンテンツにマッチするリファレンスコンテンツを特定するステップであって、
前記特定が正確であるという可能性を自動的に判定し、
判定された前記可能性がしきい値より低い場合のみ、前記ユーザ生成コンテンツを識別するためのインディシアを前記リファレンスコンテンツのオーナーに提供し、
前記特定が正確であるという可能性が前記しきい値より低いと判定された該特定が正確であるとの指示を前記リファレンスコンテンツのオーナーから受け取り、
前記リファレンスコンテンツの前記オーナーから受け取った前記指示に応じて前記特定が正確であると決定する、前記ステップと、
判定された前記可能性が前記しきい値以上であること、及び前記特定が正確であるとの前記決定、のいずれかに応じて、前記コンピュータシステムにより、前記コンピュータシステムの記憶装置において各リファレンスコンテンツに関連付けて記憶された使用ポリシーを検索することにより、前記特定されたリファレンスコンテンツに関連した使用ポリシーを特定するステップと、
前記コンピュータシステムにより、前記使用ポリシーを前記ユーザ生成コンテンツに適用するステップと、
を具備した方法。
【請求項２】
前記ユーザ生成コンテンツを受け取るステップが、該ユーザ生成コンテンツに関連したメタデータを受け取ることをさらに含む請求項1に記載の方法。
【請求項３】
前記ユーザ生成コンテンツに関連したメタデータが、前記ユーザ生成コンテンツを説明する記述を含む請求項2に記載の方法。
【請求項４】
前記ユーザ生成コンテンツに関連したメタデータが、前記ユーザ生成コンテンツのタイトルを含む請求項2に記載の方法。
【請求項５】
前記ユーザ生成コンテンツに関連したメタデータが、少なくとも1つのキーワードを含む請求項2に記載の方法。
【請求項６】
前記ユーザ生成コンテンツは、オーディオコンテンツを含む請求項1に記載の方法。
【請求項７】
前記ユーザ生成コンテンツは、ビデオコンテンツを含む請求項1に記載の方法。
【請求項８】
前記ユーザ生成コンテンツは、オーディオコンテンツおよびビデオコンテンツを含む請求項1に記載の方法。
【請求項９】
前記ユーザ生成コンテンツは、静止画像を含む請求項1に記載の方法。
【請求項１０】
前記リファレンスコンテンツを特定するステップが、前記ユーザ生成コンテンツの指紋を前記リファレンスコンテンツの指紋と比較することを含む請求項1に記載の方法。
【請求項１１】
前記リファレンスコンテンツを特定するステップが、前記ユーザ生成コンテンツに埋め込まれた電子透かしをリファレンスコンテンツについて指定された認識済みの電子透かしと比較することを含む請求項1に記載の方法。
【請求項１２】
前記リファレンスコンテンツを特定するステップが、前記ユーザ生成コンテンツの暗号ハッシュ関数を前記リファレンスコンテンツのハッシュと比較することを含む請求項1に記載の方法。
【請求項１３】
前記ハッシュ関数がMD5ハッシュである請求項12に記載の方法。
【請求項１４】
前記受け取られるユーザ生成コンテンツがアップロードされたコンテンツである請求項1に記載の方法。
【請求項１５】
前記リファレンスコンテンツを特定するステップは、既にアップロードされている前記ユーザ生成コンテンツにマッチする前記リファレンスコンテンツを特定する請求項1に記載の方法。
【請求項１６】
前記ユーザ生成コンテンツを第1のファイルタイプから第2のファイルタイプに変換するステップをさらに具備した請求項1に記載の方法。
【請求項１７】
前記リファレンスコンテンツが、該リファレンスコンテンツのオーナーによって提供される請求項1に記載の方法。
【請求項１８】
前記ユーザ生成コンテンツを受け取るステップが、前記ユーザ生成コンテンツのプロバイダが該ユーザ生成コンテンツのオーナーによって該ユーザ生成コンテンツを提供することが許可されている旨の証明を受け取ることをさらに含む請求項1に記載の方法。
【請求項１９】
前記リファレンスコンテンツが、該リファレンスコンテンツのオーナー以外のエンティティによって提供される請求項1に記載の方法。
【請求項２０】
前記使用ポリシーは、前記ユーザ生成コンテンツが視聴されてよいことを明示するものである請求項1に記載の方法。
【請求項２１】
前記使用ポリシーは、前記ユーザ生成コンテンツの視聴が追跡されるべきことを明示するものである請求項20に記載の方法。
【請求項２２】
前記使用ポリシーは、前記ユーザ生成コンテンツが視聴されてはならないことを明示するものである請求項1に記載の方法。
【請求項２３】
前記使用ポリシーは、前記ユーザ生成コンテンツが除去されるべきことを明示するものである請求項1に記載の方法。
【請求項２４】
前記使用ポリシーは、前記ユーザ生成コンテンツが収益と交換に視聴されるべきことを明示するものである請求項1に記載の方法。
【請求項２５】
前記収益の一部は、前記リファレンスコンテンツのオーナーに提供される請求項24に記載の方法。
【請求項２６】
前記収益の一部は、前記ユーザ生成コンテンツのプロバイダに提供される請求項24に記載の方法。
【請求項２７】
前記収益の一部は、前記ユーザ生成コンテンツが視聴のために掲載されるホスティングサイトに提供される請求項24に記載の方法。
【請求項２８】
前記指示は、前記特定が正確であることを示し、前記使用ポリシーを前記ユーザ生成コンテンツに適用するステップが、前記特定されたリファレンスコンテンツに関連した使用ポリシーを適用することを含む請求項1に記載の方法。
【請求項２９】
前記特定を示す報告を前記リファレンスコンテンツのオーナーに提供するステップをさらに具備した請求項1に記載の方法。
【請求項３０】
ディジタルコンテンツの管理を提供するためのコンテンツ管理システムであって、
ユーザ生成コンテンツを受け取るよう構成されたアップロードサーバと、
リファレンスコンテンツを示す情報を記憶し、かつ、各リファレンスコンテンツに関連付けて使用ポリシーを記憶した記憶装置と、
前記アップロードサーバに接続されていて、前記記憶装置に記憶された前記リファレンスコンテンツを示す情報を参照して、前記ユーザ生成コンテンツにマッチするリファレンスコンテンツを特定するよう構成された同定モジュールであって、
前記特定が正確であるという可能性を自動的に判定し、
判定された前記可能性がしきい値より低い場合のみ、前記ユーザ生成コンテンツを識別するためのインディシアを前記リファレンスコンテンツのオーナーに提供し、
前記可能性が前記しきい値より低いと判定された前記特定が正確であるとの指示を前記リファレンスコンテンツのオーナーから受け取り、
前記リファレンスコンテンツの前記オーナーから受け取った前記指示に応じて前記特定が正確であると決定する、
よう構成された前記同定モジュールと、
前記同定モジュールに接続されていて、判定された前記可能性が前記しきい値以上であること、及び前記特定が正確であるとの前記決定、のいずれかに応じて、前記特定されたリファレンスコンテンツに関連付けられた前記使用ポリシーを前記記憶装置から検索することにより、前記特定されたリファレンスコンテンツに関連した使用ポリシーを特定するよう構成されたポリシーエンジンと、
前記ポリシーエンジンに接続されていて、前記使用ポリシーを前記ユーザ生成コンテンツに適用するよう構成されたパブリシャと、
を具備したシステム。
【請求項３１】
前記ユーザ生成コンテンツを第1のファイルタイプから第2のファイルタイプに変換するトランスコーダモジュールをさらに具備した請求項30に記載のシステム。
【請求項３２】
前記記憶装置は、前記同定モジュールに接続されていて、リファレンスコンテンツを格納するよう構成されたリファレンスコンテンツデータベースを含む請求項30に記載のシステム。
【請求項３３】
前記同定モジュールに接続されていて、リファレンスコンテンツを受け取るよう構成されたコンテンツオーナーインターフェースを更に具備する請求項30に記載のシステム。
【請求項３４】
前記同定モジュールに接続されていて、コンテンツオーナーによるユーザ生成コンテンツに対する請求に関連した、前記コンテンツオーナから受け取った指示を格納するよう構成された請求データベースを更に具備する請求項30に記載のシステム。
【請求項３５】
前記パブリシャに接続されていて、前記ユーザ生成コンテンツを複数のユーザに提供するよう構成されたウェブサーバを更に具備する請求項30に記載のシステム。
【請求項３６】
前記同定モジュールに接続されていて、前記ユーザ生成コンテンツに対する使用ポリシーの適用を示す報告を編集するレポートエンジンをさらに具備した請求項30に記載のシステム。
【請求項３７】
前記ユーザ生成コンテンツを受け取るステップは、前記コンピュータシステムによりホストサイトにおいてプロバイダからユーザ生成コンテンツを受け取るステップを含み、
更に、
前記ユーザ生成コンテンツと共に広告コンテンツを提供するステップであって、前記広告コンテンツを提供することが収益の受け取りをもたらすものと、
前記収益の第1の部分を前記プロバイダに、前記収益の第2の部分を前記ホストサイトに分配するステップと、
を具備した請求項24に記載の方法。
【請求項３８】
前記ユーザ生成コンテンツを受け取るステップは、送り元からユーザ生成コンテンツを識別するためのインディシアを受け取るステップを含み、
前記ユーザ生成コンテンツにマッチするリファレンスコンテンツを特定するステップは、受け取った前記インディシアが示す前記ユーザ生成コンテンツにマッチする前記リファレンスコンテンツを特定し、
更に、
前記使用ポリシーを特定するステップで特定された前記使用ポリシーを前記送り元に提供するステップ
を具備したことを特徴とする請求項1に記載の方法。
【請求項３９】
前記使用ポリシーは、前記リファレンスコンテンツの販売促進を明示するものである請求項1に記載の方法。
【請求項４０】
前記リファレンスコンテンツの販売促進とは、ホストサイトで表示される前記ユーザ生成コンテンツの隣に前記リファレンスコンテンツのオーナーが選択した広告を表示することである請求項39に記載の方法。
【請求項４１】
前記リファレンスコンテンツの販売促進とは、ホストサイトで表示される前記ユーザ生成コンテンツにおける所望の配置を指示して前記リファレンスコンテンツの販売促進のための広告又はコンテンツを表示することである請求項39に記載の方法。
【請求項４２】
第三者サイトのディジタルコンテンツの管理を提供するためのコンテンツ管理システムであって、
第三者サイトからユーザ生成コンテンツの識別情報を受け取るよう構成された第三者入力サーバと、
リファレンスコンテンツを示す情報を記憶した第１データベースと、
各リファレンスコンテンツに関連付けて使用ポリシーを記憶した第２データベースと、
前記第三者入力サーバ及び前記第１データベースに接続されていて、前記第１データベースに記憶された前記リファレンスコンテンツを示す情報を参照して、前記ユーザ生成コンテンツにマッチするリファレンスコンテンツを特定するよう構成された同定モジュールであって、
前記特定が正確であるという可能性を自動的に判定し、
判定された前記可能性がしきい値より低い場合のみ、前記ユーザ生成コンテンツを識別するためのインディシアを前記リファレンスコンテンツのオーナーに提供し、
前記可能性が前記しきい値より低いと判定された前記特定が正確であるとの指示を前記リファレンスコンテンツのオーナーから受け取り、
前記リファレンスコンテンツの前記オーナーから受け取った前記指示に応じて前記特定が正確であると決定する、
よう構成された前記同定モジュールと、
前記同定モジュール及び前記第２データベースに接続されていて、判定された前記可能性が前記しきい値以上であること、及び前記特定が正確であるとの前記決定、のいずれかに応じて、前記特定されたリファレンスコンテンツに関連付けられた前記使用ポリシーを前記第２データベースから検索することにより、前記特定されたリファレンスコンテンツに関連した使用ポリシーを特定するよう構成されたポリシーエンジンと、
前記ポリシーエンジンに接続されていて、前記使用ポリシーを前記第三者ウエブサイトに送るよう構成されたパブリシャと、
を具備したシステム。
【請求項４３】
前記パブリシャが、さらに、前記ユーザ生成コンテンツの識別情報を前記第三者ウエブサイトに送るよう構成された請求項42に記載のシステム。
【請求項４４】
ユーザ生成コンテンツの管理を提供するために１以上のコンピュータシステムによって実行される方法であって、
メディアホストから提供された１つのユーザ生成コンテンツについての第1のディジタル指紋を、該メディアホストから受信するステップと、
前記提供された１つのユーザ生成コンテンツについての前記第1のディジタル指紋を、前記コンピュータシステムの記憶装置に記憶されたリファレンスコンテンツについての第２のディジタル指紋と比較し、前記第1のディジタル指紋と前記第２のディジタル指紋とがマッチするかを判定するステップであって、ここで、前記第２のディジタル指紋は、前記リファレンスコンテンツのコンテンツ所有者によって提供されたものであり、
前記特定が正確であるという可能性を自動的に判定し、
判定された前記可能性がしきい値より低い場合のみ、前記ユーザ生成コンテンツを識別するためのインディシアを前記リファレンスコンテンツのオーナーに提供し、
前記可能性が前記しきい値より低いと判定された前記特定が正確であるとの指示を前記リファレンスコンテンツのオーナーから受け取り、
前記リファレンスコンテンツの前記オーナーから受け取った前記指示に応じて前記特定が正確であると決定する、前記ステップと、
判定された前記可能性が前記しきい値以上であること、及び前記特定が正確であるとの前記決定、のいずれかに応じて、前記コンピュータシステムの記憶装置において各リファレンスコンテンツに関連付けて記憶された使用ポリシーを検索することにより、前記第1のディジタル指紋がマッチすると判定された前記第２のディジタル指紋のリファレンスコンテンツに関連した使用ポリシーを、前記提供された１つのユーザ生成コンテンツに適用する使用ポリシーとして決定するステップと、ここで、前記使用ポリシーは前記提供された１つのユーザ生成コンテンツの使用条件を含んでおり、
前記使用ポリシーを前記メディアホストに提供するステップと、
を具備した方法。
【発明の詳細な説明】
【技術分野】
【０００１】
関連出願の説明
本出願は、2007年9月25日に出願された米国特許仮出願No.60/975,158および2006年11月3日に出願された米国特許仮出願No.60/856,501(これらは、その出典を記載することによって本明細書の一部とする)の優先権を主張するものである。
【０００２】
本発明の実施の形態は、オンラインコンテンツの管理に関し、特に、アップロードされたディジタルコンテンツをリファレンス(基準)コンテンツにマッチングさせ、コンテンツオーナー(所有者)のポリシー(方針)に従って該アップロードされたコンテンツを他人によって利用可能にすることに関する。
【背景技術】
【０００３】
ユーザが多数の人によって視聴されるようにマルチメディアコンテンツをアップロードすることを可能にするウェブサイトの拡散は、他の実体(エンティティ)が権利を有するアップロードされたコンテンツを検出して処理することをはじめとする多くの課題をもたらす。
【０００４】
米国および多数の他の国の著作権法の下では、1つの作品でも多数の著作権所有者(オーナー)がいることがあり、様々なエンティティがそのコンテンツに関して他の権利を有していることがある。例えば、様々なエンティティが歌についての権利を有することがある。著作者、発行者および音楽会社は、様々異なる権利を有している可能性がある多くの様々異なるエンティティの単なる一例にすぎず、各前記エンティティは、特定の国で、それらの作品の使用を管理し、および/または、効力のある様々なロイヤルティ方式の下でロイヤルティの支払いを受ける権利を有するかもしれない。ビデオは、例えば、該ビデオと共に演奏される音楽に対する映像録音権を含む追加的な複雑な権利の層を有する。
【発明の概要】
【発明が解決しようとする課題】
【０００５】
米国作曲家作詞家出版者協会(ADCAP)のような著作権管理団体(PRO: Performing Rights Organizations)は、作品がラジオまたはテレビで放送されたとき、様々な著作権オーナーの代わりに、公演ロイヤルティを集金するために存在しているが、この種の集金機構はオンライン環境では利用できず、また、演奏権も十分ではない。上述の如く、録音権、マスターユース権、映像録音権およびその他の権利も考慮されなければならない。
【０００６】
さらに、権利者について適当な行動が取られることが可能になる前に、コンテンツが正しく同定される必要がある。ユーザ生成コンテンツ(UGC)、すなわち、ユーザからウェブサイトに提供されたコンテンツの性格を考えると、他人の権利下にあるコンテンツを検出するのは大変難しいということが分かっている。例えば、ユーザが、著作権の制限下にある市販の歌を選択し、該ユーザ自身が著作権を有するホームメイドビデオと組み合わせることがある。例えば著作権付のビデオを含むUGCは、トリミングまたは編集によって基準となるリファレンスビデオとは若干異なるものとなることによって、検出を免れることがある。
【課題を解決するための手段】
【０００７】
本発明は、コンテンツの権利者が、リファレンスコンテンツとして、ディジタルコンテンツまたはディジタルコンテンツの指紋のような特徴的な表示(インディシア)をホスティングサイトに提供することを可能にする。コンテンツオーナーまたは権利者(以下簡略化のために“コンテンツオーナー”という)は、さらに、各ディジタルコンテンツ毎に、該コンテンツと前記コンテンツオーナー以外の者によってアップロードされたコンテンツとの間にマッチが見つかったときに、該ディジタルコンテンツについてのポリシーを指定する。
【０００８】
前記ホスティングサイトは、ユーザによってアップロードサーバにアップロードされたユーザ生成コンテンツ(UGC)を受け取るよう構成されている。一実施の形態において、ユーザは、前記アップロードされたコンテンツについてのタイトル、コンテクスト、検索キーワードおよび記述等の情報、ならびに、一実施の形態においては、前記ユーザが前記ディジタルコンテンツを使用する適当な許可を有していることを証明する情報を追加的に提供する。一実施の形態においては、ユーザは、前記サイトの口座を有し、ディジタルコンテンツをアップロードする前にログインすることが要求される。
【０００９】
一実施の形態において、アップロードされたUGCは、アップロード時に、様々なフォーマットから1つの共通ファイルタイプにトランスコード(変換)される。次に、同定モジュールは、前記アップロードされたUGCをリファレンスデータベースに格納されたデータと比較する。前記リファレンスデータベースに格納されたデータは、コンテンツオーナーから提供されたかもしれないし、ホストサイトによって収集されたものもしくは他の者から得られたもの、または、これらの方法もしくは他の方法の組合せによって得られたものかもしれない。前記アップロードされたUGCをリファレンスデータベースに格納されたコンテンツとマッチしない場合、該アップロードされたUGCは、前記ホスティングサイトによって課されたすべての他のルールに従うことを条件に、前記サイトの他のユーザによるダウンロードまたはストリーミングに利用可能にされる。しかし、前記アップロードされたUGCと前記リファレンスデータベースに格納されたコンテンツとの間にマッチがある場合、前記リファレンスコンテンツについて指定されたポリシーがポリシーエンジンによって取り出され、前記アップロードされたUGCがどのように取り扱われるべきかが判定される。一実施の形態において、前記コンテンツオーナーから提供されるポリシーオプションは、該コンテンツがどのように視聴されるのかを調べるための追跡(トラッキング)を行うこと、前記コンテンツが前記サイト上で配布されるのを阻止すること、および、前記コンテンツが収益分配環境において表示されるのを可能にすることを含む。一実施の形態において、前記同定モジュールが前記UGCをリファレンスコンテンツとマッチングさせ、その結果としてのマッチが十分に高い信頼性レベルを有さない場合、ここで示唆されたマッチは、前記コンテンツオーナーによる検査のためのキュー(待ち行列)に入れられる。
【００１０】
コンテンツオーナーは、前記ホスティングサイトにアクセスし、かれらのコンテンツに関する活動を見る。上述の如く、一実施の形態において、前記同定エンジンによって部分的マッチまたは低い信頼性のマッチが認められた場合、前記コンテンツオーナーは、該UGCをマニュアルで検査し、該UGCが本当にマッチであるか否かを判定することができる。さらに、前記コンテンツオーナーは、リファレンスコンテンツに自動的にマッチングされ指定されたポリシーが適用されたコンテンツを検査できる。コンテンツオーナーは、さらに、個々のリファレンスコンテンツまたはリファレンスコンテンツグループについてのポリシーを編集できる。
【００１１】
一実施の形態において、前記ホストサイトは指紋採取ソフトウエアプログラムまたはインターフェースをコンテンツオーナーに提供し、該コンテンツオーナーは、前記ソフトウエアプログラムまたはインターフェースを使用して彼らのコンテンツのディジタル指紋を作成して、該ディジタル指紋をホストサイトに返す。そして、前記ホストサイト上の同定モジュールは、前記UGCの指紋を前記該コンテンツオーナーによって提供された指紋と比較し、両者間にマッチがあるか否かを判定する。この実施の形態において、前記コンテンツオーナーは、そのオリジナルリファレンスコンテンツのコピーを前記ホストサイトに配布する必要がない。
【００１２】
一実施の形態において、複数の異なるポリシーが、当該リファレンスコンテンツをダウンロードするコンピュータの地理的な位置に応じて、1つのリファレンスコンテンツに関連付けられてよい。同様に、複数の異なるポリシーが、例えば、視聴者またはアップローダの身元、視聴またはアップロードプラットフォーム、または、当該コンテンツがアップロードまたは視聴されるサイトのドメインに応じて、1つのリファレンスコンテンツに関連付けられてよい。
【図面の簡単な説明】
【００１３】
【図１】本発明の一実施の形態に係るコンテンツ権利管理を提供するためのシステムを示す。
【００１４】
【図２】本発明の一実施の形態に係るコンテンツ権利管理を提供するため方法を示すフローチャート。
【００１５】
【図３】本発明の一実施の形態に係るコンテンツ権利管理システムにリファレンスコンテンツを提供するためのユーザインターフェースページ示す。
【００１６】
【図４】本発明の一実施の形態に係るレベニュー・シェアリング(収益分配)の使用を示すブロック図。
【００１７】
【図５】本発明の一実施の形態に係るコンテンツオーナーによるコンテンツ検索を実行するためユーザインターフェースの画面を示す図。
【００１８】
【図６】本発明の一実施の形態に係る、第三者のためのコンテンツ権利管理および同定サービスを提供するためのシステムを示す図。
【００１９】
【図７】コンテンツを検査し該コンテンツに対する請求を行うためにコンテンツオーナーによって使用されるユーザインターフェースの例を示す図。
【図８】コンテンツを検査し該コンテンツに対する請求を行うためにコンテンツオーナーによって使用されるユーザインターフェースの別の例を示す図。
【図９】コンテンツを検査し該コンテンツに対する請求を行うためにコンテンツオーナーによって使用されるユーザインターフェースの別の例を示す図。
【図１０】コンテンツを検査し該コンテンツに対する請求を行うためにコンテンツオーナーによって使用されるユーザインターフェースの別の例を示す図。
【００２０】
図は、例示目的でのみ本発明の実施の形態を図示するものである。当業者に容易に理解されるように、以下の説明から、ここに例示する構成および方法の他の実施の形態が本発明の原理を逸脱することなく使用可能である。
【発明を実施するための形態】
【００２１】
図1は、本発明の一実施の形態に係るコンテンツ権利管理を提供するためのシステムを示す。システム100は、アップロードサーバ104と、アップロードデータベース130と、トランスコーダ106と、同定モジュール116と、ポリシーエンジン118と、パブリッシャ120と、ウェブサーバ122と、コンテンツオーナーインターフェース126と、リファレンス(基準)データベース112と、請求データベース128と、ポリシーデータベース114と、レポートエンジン132と、レポートデータベース134とを備えている。図1には、さらに、ユーザコンピュータ102、視聴者コンピュータ124、およびコンテンツオーナーコンピュータ108が示されている。各前記構成要素について以下に説明する。
【００２２】
明確さのためにただ1つのアップロードサーバ104およびウェブサーバ122が図1に示されているが、これらは多数のサーバとして提供されてもよい。その他のサーバは、ここで説明されていないホストサイトの他の特徴的な処理を行う。また、ここで説明するコンテンツのアップロードおよびダウンロードは、インターネットまたはHTTPプロトコルを介してアップロードまたはダウンロードされるコンテンツに制限されるものではない。さらに、一般的に、一実施の形態においてサーバ側で実行されるものとして説明される機能は、適当な場合、他の実施の形態においてはクライアント側で実行されてもよい。ユーザコンピュータ102、コンテンツオーナー108および視聴者124は、ラップトツプ、デスクトップ、携帯電話、手持ち式の装置、薄いまたは厚いクライアント装置、ビデオ機器、および、その他の任意のコンピューティングプラットフォームの組合せであってよい。
【００２３】
コンテンツオーナー108は、特定の著作物に対する権利のうちの少なくともいくつかを所有または管理する実体(エンティティ)である。前記コンテンツオーナーは、個人、個人のグループ、または、音楽もしくはビデオ製作会社もしくはスタジオ、アーティストグループ、ロイヤルティ集金機関等であってよい。
【００２４】
上述の如く、UGCビデオは、オーディオ、ビデオ、オーディオおよびビデオの組合せ、または静止画像を含んでいてよい。説明を容易にするために、以下に示す例は、前記UGCがビデオであると想定している。当業者に理解されるように、オーディオ、ビデオと組み合わされるオーディオ、および、静止画像は、ここで説明される方法と同様に、受信され、識別され、処理されることができる。さらに、ビュアー124としてシステム100からUGCを受信するユーザコンピュータについても説明する。様々な実施の形態において、ビュアー124は、ストリーミングにより、または、ネットワークを介して媒体コンテンツを取り出すその他の方法によって、ファイルのダウンロードによってUGCコンテンツを購入することができる。
【００２５】
コンテンツオーナーインターフェース126は、コンテンツオーナー108が前記システムにリファレンスコンテンツおよびポリシー情報を含むコンテンツを提供することを可能にし、また、該コンテンツオーナー108が前記コンテンツを検査して、該コンテンツに対する請求を行うことを可能にする。また、コンテンツオーナーインターフェース126を介して、前記システム100は、前記システムからリファレンスコンテンツおよびポリシー情報を受信し、該受信したリファレンスコンテンツおよびポリシー情報をリファレンスデータベース112およびポリシーデータベース114に格納する。一実施の形態において、各リファレンスコンテンツには識別子が割り当てられ、該識別子は、ポリシー情報と共に前記ポリシーデータベース114に付加的に格納される。一実施の形態における前記コンテンツオーナーインターフェース126は、ユーザインターフェース、ならびに、コンテンツファイルおよびポリシー情報の授受のためのFTP(ファイル転送プロトコル)のようなバルク処理を含む。
【００２６】
本発明の一実施の形態は、ビデオのアップロード時にコンテンツマッチングを実行することに加えて、当該システム100に既にアップロードされている“レガシー(旧作)”ビデオに関するコンテンツマッチングを可能にする。このようなレガシービデオは、前記システムが所定位置に配置される前にアップロードされているかもしれず、または、アップロード時にマッチングされていないかもしれないが、後に追加的なリファレンス材料が追加される際マッチングされる。このようなレガシービデオのマッチングは、例えば、すべてのアップロードされたビデオをリファレンスデータベースに対して定期的にチェックし直すことによって行い得る。一実施の形態において、このようなチェックは、ユーザがビデオを見るまたはダウンロードことを要求する際に行われる。
【００２７】
システム100のユーザは、ユーザコンピュータ102を使用して、ユーザ生成コンテンツ(UGC)をシステム100のアップロードサーバ104に提供する。一実施の形態において、ユーザコンピュータ102は、Microsoft Internet ExplorerまたはMozilla Firefoxのようなウエブブラウザを使用して、アップロードサーバ104で動作しているウエブサーバにアクセスする。図2において、アップロードサーバ104は、ユーザコンピュータ102からUGCを受け取り(ステップ202)、一実施の形態ではアップロードデータベース130に該UGCを格納する。
【００２８】
トランスコーダ106は、コンテンツを視聴者124に対する再生用に標準化するために、前記UGCを1つのファイルタイプから他のファイルタイプにトランスコード(変換)する(ステップ204)。これにより、アップロードサーバ104は、様々異なるフォーマットで提供されるUGCを受け取ることができ、また、標準化された出力を視聴者124に提供することができる。一実施の形態において、トランスコーダ106は、アップロードされたビデオコンテンツをAdobe(.flv)フラッシュファイルフォーマットに変換(トランスコード)する。
【００２９】
同定モジュール116は、前記アップロードされて変換されたUGCを分析し、該UGCがリファレンスデータベース112に格納されたリファレンスコンテンツにマッチ(一致)するか否かを判定する。マッチが見つかると(ステップ208)、ポリシーエンジン118は、特定されたリファレンスコンテンツについてのポリシーを検索し(ステップ210)、後でコンテンツオーナーによる検討検査が可能なように前記マッチを請求データベース128に追加的に記録する。一実施の形態において、指紋法を使用して、前記UGCをリファレンスコンテンツと比較する。他の実施の形態において、電子透かし、MD5エンコーディング、顔認識、ロゴ認識および人による目視検査のような追加的な技術が使用されてよい。アップロードされたコンテンツをリファレンスコンテンツに対してマッチングさせるためのシステムおよび方法は、米国特許出願No.11/765,292、No.11/746,339、No.60/957,446およびNo. 60/957,445 (これらは、その出典を記載することによって本明細書の一部とする)に記載されている。一実施の形態において、UGCは、トランスコードされる前に、そのアップロードされたフォーマットで分析される。
【００３０】
ステップ212において前記指定されたポリシーが前記コンテンツが当該サイトから削除すなわち除去すべきものである旨示している場合、前記システム100は前記UGCを前記サイトから除去する(ステップ214)。前記ポリシーが削除ポリシーを指定していない場合、前記ユーザのコンテクストが同定される(ステップ216)。前記ユーザのコンテクストは、例えば、ユーザの地域、ドメイン、ユーザが使用している装置の種類等を含んでいてよい。従って、各異なるユーザコンテクストに適用すべき、異なるポリシーがコンテンツオーナーによって使用されてよい。例えば、特定のUGCについて、そのポリシーは、米国におけるレベニュー・シェアリング(収益分配)を指定する一方で、英国における該コンテンツの視聴阻止(ブロック)を指定していることが考えられる。当該ユーザのコンテクストが特定されると、ポリシーエンジン118は適当なポリシーを適用する(ステップ218)。
【００３１】
最後に、同定モジュール116が、前記UGCを1つのリファレンスコンテンツにマッチさせる(しかし、指定されたしきい値より低い信頼性レベルで)と、該UGCおよび提案されたマツチしているリファレンスコンテンツが、コンテンツオーナー108によるマニュアルでの検査が可能なようにキュー(待ち行列)に入れる。コンテンツオーナー108が前記コンテンツを該オーナー自身のものであるとして請求した場合、該コンテンツは、上述の如く適当なポリシーに従って処理される(ステップ210)。一方、コンテンツオーナー108が前記コンテンツを該オーナー自身のものであるとして請求しなかった場合、該コンテンツは、上述のポリシーを実行することなく、視聴者124による視聴が可能なように公開される (ステップ228)。いずれの場合も、一実施の形態においては、将来のコンテンツ特定の精度を上げるために、前記UGCまたはその特徴的な表示(インディシア)がリファレンスデータベース112に追加される。
【００３２】
図7は、コンテンツを検査し請求するためにコンテンツオーナー108によって使用されるユーザインターフェース700の一例を示す。コンテンツオーナー108は、潜在的なマッチを検査し、その請求を解除、省略または維持することができる。そして、コンテンツオーナー108は、同様な処理を行うための次の潜在的な請求を視聴することができる。図において、請求は、例えば30日のような所定日数後に満了する。他の実施の形態では、請求は満了しない。ここで、前記コンテンツオーナーは、マッチしたコンテンツついて“ブロック”という一般的なポリシーを有する。一実施の形態において、ユーザによってアップロードされたコンテンツのみが表示され、リファレンスコンテンツは表示されない。
【００３３】
図3は、コンテンツオーナー108がリファレンスコンテンツをリファレンスデータベース112にアップロードできるようにするコンテンツオーナーインターフェース126のユーザインターフェースページ300の一例を示す。図示例において、1つの領域302は、コンテンツオーナー108がタイトルを指定するための入力、リファレンス作品に関連した記述およびタグを提供する。領域304において、コンテンツオーナー108は、アップロードされたビデオがリファレンスビデオであるのか、または、リファレンスデータベース112に既に格納されているビデオに対するテスト対象となるテストビデオであるのかを明示できる。コンテンツオーナー108が前記アップロードされたビデオがリファレンスビデオであると明示した場合、該コンテンツオーナー108は、さらに、追跡、ブロックまたはレベニュー・シェアリング(収益分配)のようなポリシーを指定してよい。最後に、例えばコンテンツオーナーのローカルコンピュータにおける位置がボックス306において指定され、その後、該リファレンスビデオがシステム100にアップロードされる。一実施の形態において、コンテンツオーナーは、各リファレンスビデオを個々にアップロードする代わりに、バッチモードでリファレンスビデオをアップロードできる。一実施の形態において、コンテンツオーナーは、各ビデオ指紋を個々にアップロードする代わりに、バッチモードでビデオ指紋をアップロードできる。
【００３４】
図4は、本発明の一実施の形態に係るレベニュー・シェアリングを実現する方法を示す。例えば、レベニュー・シェアリングが適用されるUGCを含むページ上で、広告印象、クリック・スルー、販売等のレベニュー・シェアリングイベント(すなわち、特定のビデオに関連した収益発生イベント)が発生する度に、該イベントの記録がレポートデータベース134に追加される。レポートエンジン132は、前記レポートデータベース134におけるイベントを分析して、各イベント毎に、収益のどの程度の金額(もし、収益があればであるが)がどのコンテンツオーナーに割り当てられるべきなのかを判定する。レポートエンジン132はシステム100のオペレータ、コンテンツオーナー108等の当事者に対してレポートを提供し、それに従って収益が分配される。
【００３５】
一実施の形態において、ウエブサーバ122は、さらに、視聴カウント、再生長さ等を含む(しかし、これらに限定されない)データを発生する。この情報は、当事者間の契約がそのように明示している場合、収益を割り当てるためにもレポートエンジン132によって使用され得る。
【００３６】
例えば、ユーザ102が該コンテンツオーナー108に属するコンテンツをアップロードし、該コンテンツオーナー108が該コンテンツについてレベニュー・シェアリングのポリシーを有する場合、前記コンテンツオーナー108およびユーザ102は、販売活動からの収益を分配することができる。このようなレベニュー・シェアリングは、コンテンツオーナーによる指定または当事者による取り決めに従って、歩合(パーセンテージ)によるもの、定額支払いによるもの、視聴毎の支払いによるもの等の任意の適当な方法で実行可能である。多数のコンテンツオーナーが存在する場合、かれらは、取り決められた収益を分配することができる。これは、特に、極めて断片化した権利保持者が存在する音楽の場合特にそうである。
【００３７】
他の例として、ユーザ102が該コンテンツオーナー108に属するコンテンツをアップロードし、該コンテンツオーナー108が該コンテンツについてレベニュー・シェアリングのポリシーを有する場合、前記コンテンツオーナー108および該コンテンツが視聴可能なウエブサイトを管理しているエンティティは、販売活動からの収益を分配することができる。この分配は、コンテンツオーナーによる指定または当事者による取り決めに従って、歩合(パーセンテージ)によるもの、定額支払いによるもの、視聴毎の支払いによるもの等の任意の適当な方法で実行可能である。多数のコンテンツオーナーが存在する場合、かれらは、取り決められた収益を分配することができる。これは、例えば、極めて断片化した権利保持者が存在する音楽の場合特にそうである。このような状況において、上記の構成は、ビデオをアップロードしたユーザが該ビデオから発生した収益を分配することになる可能性を排除することができる。
【００３８】
他の例として、コンテンツオーナーは、収益ストリームの一部または全部を受け取る代わりに該オーナーのコンテンツの“販売促進”を希望する旨示すポリシーを持つかもしれない。該販売促進としては、例えば、ウエブサイト上に載せること、前記コンテンツに平行して追加的な広告またはコンテンツを表示することを含むことができる。例えば、このように販売促進されるビデオは、前記コンテンツオーナーが直接に収益を受け取る代わりに、前記コンテンツの隣に表示される該コンテンツオーナーの他の特性についての特別な広告を受けてもよい。
【００３９】
図5は、本発明の一実施の形態に係るサーチ機能ユーザインターフェース500の画面を示す。コンテンツオーナー108またはその代理人は、ユーザインターフェース500を使用してホストサイト上におけるそのコンテンツの例を識別することができる。なお、前記サイト上には特定のコンテンツの2つ以上の例が存在することがある。例えば、音楽ビデオは、純粋なオーディオ、純粋なビテオ、該音楽ビデオを含むマッシュアップ等に加えて、その複数のカットシーンが掲載されることがある。
【００４０】
前記例において、前記ユーザインターフェースは、検索エリア510および検索結果エリア520を含む。検索エリア510は、検索語(例えば、図示例における“flaming lips”)を入力するためのエリアを含む。一実施の形態によると、ユーザは、あるフィールドまたはメタフィールド内を検索することができる。コンテンツオーナーが検索語を入力すると、該コンテンツオーナーは、選択ボタン513によって検索を開始する。
【００４１】
ユーザは、データ範囲および最少視聴回数を含む(しかし、これらに限定されない)高度検索オプション514を設定することもできる。該ユーザは、さらに、検索結果を関連性、データまたは視聴回数によって順序付ける(昇順および降順のいずれであってもよい)こともでき、該検索をさらに特定のカテゴリーに絞り込むことができる。
【００４２】
一実施の形態において、ユーザは、請求ステータスに応じて、検索結果からすべてのそれまでマークされたコンテンツを除去するよう、または、逆に、特にそれまでマークされたコンテンツを見るようフィルタリングする。その他のフィルタは、コンテンツオーナー108が、それまで検査され当該ユーザのコンテンツとしてマークされていないコンテンツを除去することができる。さらに、コンテンツオーナー108は、そのIDをテキストボックス515に入力することによって特定のビデオを検索することもできる。
【００４３】
この例において、エリア516は、検索をセーブするための2つのオプション、すなわち、将来において検索がユーザ指定された時間または状況において(または、他の実施の形態では所定の時間または状況において)実行されることを意味する自動検索(オートサーチ)、および/または、インクリメンタル検索として、すなわち、特定の検索および検索語の結果の記録としてのセーブオプションを含む。一実施の形態において、自動検索は、コンテンツオーナーに対して、定義された検索がどのように実行されているのかについての項目を含む毎日のイーメールを送る。インクリメンタル検索は、最近24時間内の結果のみを示すために、これらの毎日のイーメールをフィルタする。
【００４４】
エリア530は、ユーザがセーブされた検索を選択するのを可能にする。XMLオプションは、コンテンツオーナーが、UI(ユーザインターフェース)に見られるような、全ての検索パラメータを彼らのサーバ上のXMLファイルに定義することを可能にする。ブラウズ機能は、コンテンツオーナーが、この目的のために、彼らのローカルマシーン上でXMLファイルを見つけることを可能にする。これにより、コンテンツオーナーは、そのコンテンツデータベースを使用して検索リストを構築するのを可能にする。
【００４５】
エリア520は、コンテンツ検索の検索結果の例を示す。該例において、検索結果としてのコンテンツは、名前560と、継続時間561と、タグ562と、追加の日付563と、カテゴリ564と、ソース566と、視聴回数568と、ビデオID570と、該ビデオが埋め込み可能か否かの表示572とを有する。エリア520には、さらに、該特定されたビデオの複数の異なる部分を示す3つのサムネイル画像574が示されている。他の実施の形態においては、該コンテンツについて他の種類のデータまたはメタデータが含まれていてよい。
【００４６】
各コンテンツ毎に、前記コンテンツオーナー108は、領域576において、該オーナーが前記コンテンツについて請求したい旨、該オーナーが前記コンテンツを検査したが請求しない旨、または、該オーナーが前記コンテンツを未だ検査していない旨示す。前記コンテンツオーナー108が前記コンテンツについて請求する場合、該オーナー108は、領域578において、ポリシーオプション(ここでは収益分配、ブロックまたは追跡のみ)を選択する。領域580において、前記コンテンツオーナー108は、該オーナー108の請求がコンテンツ項目のオーディオ、ビデオまたはこれらの両方に適用されるのかを示す。チェックボックス582により、前記コンテンツオーナー108は、オーディオに対する請求が、該オーディオと対をなすビデオコンテンツに関わらず、UGCにおける該オーディオのどの例にも適用されるべき旨明示することができる。
【００４７】
前記コンテンツオーナー108自身が当該ローカルコンテンツのソースである場合、該オーナー108は、領域584において、当該コンテンツ項目についてのメタデータを追加的に提供しながら当該ローカルコンテンツのソースである旨示すことができる。
【００４８】
最後に、前記コンテンツオーナー108は、異なる地域または国について異なるパラメータセットを指定するためにリンク586を選択することができる。
【００４９】
前記コンテンツオーナー108によって新たに請求されたコンテンツまたはコンテンツのインディシアは、一実施の形態において、該コンテンツが同定モジュール116によって次回見られる際に該コンテンツの自動的な同定が可能なよう、リファレンスデータベース112に格納される。
【００５０】
あるコンテンツオーナー108は、彼らのコンテンツのリファレンスコピーを彼らの管理の外にあるドメインに配布することを渋るかもしれない。一実施の形態において、このような懸念は、コンテンツオーナー108がリファレンスコンテンツ自体の代わりに該リファレンスコンテンツのインディシアをシステム100に提供することを可能にすることによって対処される。典型的には、リファレンスコンテンツのインディシアは、該リファレンスコンテンツから導出されるが、効果的にオリジナルのリファレンスコンテンツに変換し直すことができないディジタル指紋である。この実施の形態において、同定モジュール116は、指紋採取アルゴリズムを使用してアップロードされたUGCから指紋を取得し、該取得した指紋をリファレンスデータベース112に格納された指紋と比較する。コンテンツオーナー108は上述の如くポリシー情報をシステム100に与えるが、ここでは、該ポリシー情報は、オリジナルのリファレンスコンテンツではなく指紋IDにマッピングされる。
【００５１】
一実施の形態において、コンテンツオーナー108は、それ自身のポリシーデータベース114を維持する。これにより、コンテンツオーナー108は、コンテンツオーナーインターフェース126を使用する必要なしに、または、システム100に接続する必要なしにポリシーデータをアップデートすることができる。コンテンツオーナー108によってローカルにポリシー変更がなされるようになっており、システム100によってマッチが検出されると、ポリシーエンジン118は、ポリシーデータベースからシステム100にではなく、コンテンツオーナー108からリアルタイムに適当なポリシーを取り出す。
【００５２】
一実施の形態において、コンテンツオーナー108は、コンテンツデータのリファレンス指紋を、それに関連するURLと共に、システム100に提供する。UGC指紋がリファレンス指紋に一致すると、該UGCおよびURLは、検査のために前記コンテンツオーナー108に送られる。このように提供されるURLは、前記コンテンツオーナー108に利用可能なURLであるがシステム100には利用可能ではないものであり、前記指紋によって特定されるリファレンスコンテンツを参照する。このようにして、前記コンテンツオーナー108は、リファレンスコンテンツを前記システム100に利用可能にする必要なしに、前記UGCが前記リファレンスコンテンツを含むか否かを判定するための比較を行うことができる。他の実施の形態においては、自動識別が信頼性のしきい値レベルに足りない場合のみに、マニュアル識別処理が行われる。
【００５３】
一実施の形態において、アップロードされたUGCを同定して該アップロードされたUGCがリファレンスコンテンツにマツチしているか否かを判定するには、かなりの時間がかかることがあり、この時間は、アップロードされているコンテンツの速度および量、ならびに、利用可能な処理能力に左右される。従って、前記UGCは、ウェブサーバ122上での公開のためにパブリッシャ120に送られると共に、同定エンジン116に送られる。前記同定エンジン116がマッチング処理を完了すると、公開された前記コンテンツは、マッチが見つからなかった場合には同一位置に留まることが可能であり、マッチが見つかった場合には適当なポリシーが前記コンテンツに適用される。他の実施の形態において、前記コンテンツは、そのステータスが判定されるまで当該サイトに掲載されない。
【００５４】
国際的な視点から権利を考慮する場合、付加的な特徴が追加される。特定の作品について、1つの国における権利者は、他の国における権利者とは完全に異なるエンティティである場合がある。これは、例えば、米国における権利者が収益分配というポリシーを設定し、一方、カナダの権利者が削除というポリシーを設定している場合、争いをもたらす可能性がある。このような場合、前記システムは、当該UGCを公開し、該コンテンツが米国における口座保有者に供給された場合における収益分配を可能にし、一方、カナダにおける口座を有するユーザが該コンテンツを視聴しようとした場合該コンテンツがブロックされる。
【００５５】
一実施の形態において、前記システム100のオペレータは、コンテンツオーナー108によって設定されたポリシーに加えてまたは該設定されたポリシーの代わりに、該オペレータ自身のポリシーを同定されたUGCに適用することができる。例えば、前記システム100のオペレータは、特定のビデオがタイにおいてブロックされるべき旨判定することができ、該ポリシーを特定のUGC、または1組のUGCまたはすべてのコンテンツに適用することができる。
【００５６】
一実施の形態において、前記システム100は、UGCを同定し、第三者に対するサービスとして該コンテンツを適当なポリシーと照合する。例えば、図6に示すように、ホストサイト604は、そのユーザ602のうちの1つのユーザからUGCを受け取る。ホストサイト604は、そうすることが当該コンテンツの真のオーナによって許可される場合に限り、前記UGCを前記ユーザのうちの他のユーザに提供することを希望する。第三者ホスティングサイト604は、コンテンツオーナーを同定するリソースを有していないかもしれず、または、それ自身の理由により他のソースから同定を取得することを希望するかもしれない。従って、前記第三者ホスティングサイト604は、該UGCまたは該UGCの指紋のようなインディシアを前記システム100の第三者インターフェース606に提供する。同定モジュールは、前記UGCまたは指紋を前記リファレンスデータベース112に格納されたリファレンスコンテンツと比較する。マッチが無い場合、第三者インターフェース606は、前記第三者ホスティングサイト604に対して、前記UGCが前記システム100に既知のいずれのコンテンツにマッチしない旨報告する。また、前記リファレンスデータベース112にマッチが見つかった場合、前記UGCは、コンテンツオーナー108によって提供され前記ポリシーデータベース114に格納されたポリシーに制約されるか、または、該UGCは、それまでに送られているが請求対象ではないUGCである。前者の場合、ポリシーエンジンが同定されたコンテンツのための適当なポリシーを探し、第三者インターフェース606が該ポリシー情報を第三者ホスティングサイト604に返し、該第三者インターフェース606は、当該コンテンツの正規名のような付加的なメタ情報、著作権情報等を返す。後者の場合、前記第三者インターフェース606は、第三者ホスティングサイト604に対して、前記コンテンツがシステム100によってそれまでに送られているが、いずれのコンテンツオーナー108によっても該コンテンツに対して請求がなされていない旨知らせる。
【００５７】
一実施の形態において、前記システム100は、第三者ホスティングサイト604の代わりにコンテンツ同定を実行するための料金を請求する。
【００５８】
一実施の形態において、前記システム100は、第三者ホスティングサイト604の代わりにコンテンツ同定機能を実行するが、付随するポリシー情報を提供しない。他の実施の形態において、前記システム100は、特定のコンテンツ識別子についてのポリシー情報を提供するが、コンテンツ同定を実行しない。
【００５９】
従って、本発明の実施の形態は、コンテンツオーナーのために、かれらの作品に対して向上した管理を確保するのに役立つ。さらに、本発明は、コンテンツオーナーに対して、誰が彼らの作品を利用できるのかを規制するための新たなオプションのみならず、UGC投稿者との収益分配のような付加的な方法でかれらの作品から収益を得る能力についてのオプションを与える。コンテンツオーナーは、さらに、広範囲のコンテンツ管理ツールにアクセスでき、コンテンツ権利の管理を活用するためにオリジナルのリファレンスコンテンツを開示するよう強制されない。
【００６０】
以上、本発明は、制限された数の実施の形態について特に詳細に説明された。当業者に理解されるように、本発明は、他の実施の形態で実行されてもよい。
【００６１】
この明細書における説明において、上記構成要素の特定の命名、用語の大文字化、属性、データ構造またはその他のプログラミングもしくは構造的な特徴は必須または重要ではなく、本発明またはその特徴を実現するメカニズムは、上記とは異なる名前、フォーマットまたはプロトコルを有するものであってよい。さらに、上記システムは、上述のようなハードウエアおよびソフトウエアの組合わせ、または、ハードウエア要素だけで実現されてよい。さらに、上述したさまざまなシステム構成要素間の特定の機能区分は単に一例であって必須ではなく、1つのシステム要素によって実行されるものとして説明された機能は多数のシステム要素によって実行されてよく、また、多数のシステム要素によって実行されるものとして説明された機能は1つのシステム要素によって実行されてよい。例えば、前記マッチモジュール116、ポリシーモジュール118等の特定の機能は、多くのまたは1つのモジュールに設けられていてよい。
【００６２】
以下の詳細な説明のいくつかの部分は、本発明の特徴を情報についての処理のアルゴリズムおよび記号表現について説明している。これらのアルゴリズムおよび記号表現は、当業者がかれらの作業内容を他の当業者に最も効果的に伝えるために使用される手段である。上記の処理は、ここでは機能的または論理的に説明されているが、コンピュータによって実現されてよい。これらの処理の構成を、普遍性を喪失することなく、モジュールまたはコード装置として言及することは、折にふれて便利であることが知られている。
【００６３】
しかしながら、これらの用語およびこれらに類似した用語のすべては、適当な物理的数量に対応付けられるものであり、これらの数量に適用される単に便利なラベルである。特にそうでないと明記する場合を除き、本発明の説明全体を通じて、“選択”、“計算”、“判定”等の用語の使用は、コンピュータシステムのメモリまたはレジスタ、または、その他の情報記憶装置、伝送もしくは表示装置内において物理的(電子的)数量として表現されているデータを操作して変換するコンピュータシステムまたはこれと同様な電子計算装置の動作および処理を意味する。
【００６４】
本発明のある特徴は、ここでアルゴリズムの形態で説明された処理ステップおよび命令を含むものである。なお、本発明の上記処理ステップおよび命令は、ソフトウエア、ファームウエアまたはハードウエアで実施可能であり、ソフトウエアで実施される場合、リアルタイムネットワークオペレーティングによって使用される、異なるプラットフォームに存在するようダウンロードされ、且つ、該異なるプラットフォームから操作可能である。
【００６５】
本発明は、さらに、上記処理を実行する装置に関する。この発明は前記要求される目的に特化して構成されてもよく、または、コンピュータに記憶されたコンピュータプログラムによって選択的に作動または再構成される汎用コンピュータからなっていてよい。このようなコンピュータプログラムは、各々がコンピュータシステムバスに接続された、フロッピー(登録商標)ディスク、光ディスク、CD-ROM、光磁気ディスク、リードオンリーメモリ(ROM)、ランダムメモリ(RAM)、EPROM、EEPROM、磁気または光カード、特定用途向け集積回路(ASIC)または電子命令を記憶するのに適した任意タイプの媒体のような(しかし、これに限らない)コンピュータによって読取り可能な記憶媒体に記憶されてよい。さらに、この明細書に言及されているコンピュータは、単一のプロセッサを備えるものでよく、または、向上した計算能力を実現するためのマルチプロセッサ設計を使用するアーキテクチャであってもよい。
【００６６】
ここに説明したアルゴリズムおよび表示は、本質的に特定のコンピュータまたはその他の装置に関連するものではない。ここでの教示内容に従うプログラムと共に様々な汎用システムが使用されてもよく、必要な方法ステップを実行するためにより特化された装置を構成することが便利であることが分かるであろう。これらの様々なシステムに必要な構成は、上記説明から明確であろう。さらに、本発明は、特定のプログラミング言語に関して説明されたものではない。なお、ここでの教示内容を実施するために様々なプログラミング言語が使用されてよく、また、本発明の実施可能性および最良の実施態様について任意の特定言語に対する言及がなされてよい。
【００６７】
最後に、この明細書に使用された言語が主に読み易さおよび教育目的で選択されたものであり、本発明の主題を限定し、その境界を規定するために選択されたものではない。従って、ここでの本発明の開示は、以下の特許請求の範囲に記載した本発明の範囲を例示的に説明するものであって限定的なものではない。
【符号の説明】
【００６８】
100    システム
104    アップロードサーバ
112    リファレンスデータベース
108    コンテンツオーナー
114    ポリシーデータベース
116    同定モジュール
118    ポリシーエンジン
126    コンテンツオーナーデータベース
【図１】
0005546246.tif 000002
【図２】
0005546246.tif 000003
【図３】
0005546246.tif 000004
【図４】
0005546246.tif 000005
【図５】
0005546246.tif 000006
【図６】
0005546246.tif 000007
【図７】
0005546246.tif 000008
【図８】
0005546246.tif 000009
【図９】
0005546246.tif 000010
【図１０】
0005546246.tif 000011